(57)【要約】【課題】ごみや泥の集水溝内での堆積や詰まりを防止し、且つ、害虫や異臭が集水溝内から外部へ出るのを防ぐと共に、人や車両の通行時の安全性を向上した集水溝蓋の提供。【解決手段】本体を貫通した複数の排水孔を備え、前記排水孔から水を流入させることができ、そのうち、前記集水溝蓋上に一層の環境保護材料を設け、前記環境保護材料が不規則な形状の廃棄物に粘着剤及びガラスフィラメントを加えて撹拌して成り、前記環境保護材料を前記集水溝蓋の排水孔上に設置することを特徴とする。  【選択図】図５
0003119620.tif 000002
【実用新案登録請求の範囲】
【請求項１】
集水溝蓋であって、本体を貫通した複数の排水孔を備え、前記排水孔から水を流入させることができ、そのうち、前記集水溝蓋上に一層の環境保護材料を設け、前記環境保護材料が不規則な形状の廃棄物に粘着剤及びガラスフィラメントを加えて撹拌して成り、前記環境保護材料を前記集水溝蓋の排水孔上に設置することを特徴とする、集水溝蓋。
【請求項２】
前記環境保護材料の廃棄物が顆粒の形状の大きさが異なるスラグ、ガラス片、陶磁または石くず等の硬度が高く、耐磨耗性に優れた環境保護廃棄物である、請求項１に記載の集水溝蓋。
【請求項３】
前記粘着剤が樹脂、結合ペースト及び関連の物質を結合させることのできる化学薬剤である、請求項１に記載の集水溝蓋。
【請求項４】
前記環境保護材料の廃棄物が、顆粒の大きめのものを下方に、顆粒が小さめのものを上方にそれぞれ排列された、請求項１に記載の集水溝蓋。
【請求項５】
前記集水溝蓋が、廃棄物、粘着剤、ガラスフィラメント及び関連環境保護材料を撹拌後、円弧形、長方形等の形体に設けられた、請求項１に記載の集水溝蓋。
【請求項６】
前記集水溝蓋及び環境保護材料内にさらに、反射性及び感光性を備えた夜光剤（Ｌｕｍｉｎｏｕｓ  ｃｈｅｍｉｃａｌ）、紫外線（Ｕｌｔｒａｖｉｏｌｅｔ；ＵＶ）変色原料、光発色性原料（Ｐｈｏｔｏｃｈｒｏｍｉｃ  ｍａｔｅｒｉａｌ）、感温変色性を備えたマイクロカプセル液晶（Ｍｉｃｒｏｃａｐｓｕｌｅ  Ｌｉｑｕｉｄ  Ｃｒｙｓｔａｌ）及び関連の夜間警告性向上効果を備えた化学材料を塗布または撹拌して加えた、請求項１に記載の集水溝蓋。
【考案の詳細な説明】
【技術分野】
【０００１】
本考案は、集水溝蓋の改良に関し、詳細には、集水溝蓋上に一層の環境保護材料を敷き、且つ、この環境保護材料が不規則な形状の廃棄物(スラグ、ガラス片、陶磁または石くず等)に粘着剤及びガラスフィラメントを加えて撹拌して成り、この環境保護材料を集水溝蓋の排水孔上に敷くことで通行人の歩行時の安全性を高める、集水溝蓋に関する。
【背景技術】
【０００２】
一般的な従来の集水溝蓋Ａは、図１、図２、図３に示すように、直接集水溝蓋Ａを集水溝上方に架設し、この集水溝蓋Ａは複数の貫通された排水孔Ａ１を備え、集水溝蓋Ａは排水孔Ａ１の隙間を有するため、水が排水孔Ａ１を介して集水溝内に流入するとき、同時に地面上のごみや泥が排水孔Ａ１から集水溝内に流入し、集水溝内にごみや泥が堆積してしまう。さらに、別の従来の集水溝蓋Ｂは、やや少なめの排水孔Ｂ１を有する集水溝蓋Ｂであり、集水溝内に堆積するごみや泥を減らそうとしているが、排水孔Ｂ１が直接集水溝と相通しているため、該集水溝内に発生する害虫や集水溝内に漂う異臭が通行人に不快感を与えやすく、また、この集水溝蓋Ｂの排水孔Ｂ１の隙間は通行人が足を取られる危険がある。
【考案の開示】
【考案が解決しようとする課題】
【０００３】
このため、いかに上述の欠点を排除するかが本考案の解決する技術的問題点である。本考案の目的は、ごみや泥の集水溝内での堆積や詰まりを防ぎ、且つ、害虫や異臭が集水溝内から外部へ出るのを防ぐことができ、且つ、人や車両の通行時の安全性を向上した、集水溝蓋を提供することにある。
【課題を解決するための手段】
【０００４】
以下、本考案について、図面、符合及び具体的な実施例に基づき詳細に説明する。本考案の集水溝蓋の改良は、図４及び図５に示すように、廃棄物Ｃを含む環境保護材料Ｄ、粘着剤Ｅ、ガラスフィラメントＦ、集水溝蓋Ｇから構成される。
【０００５】
図６及び図７に示すように、集水溝蓋Ｇ上に一層の環境保護材料Ｄを敷き、該環境保護材料Ｄは不規則な形状の廃棄物Ｃ（スラグ、ガラス片、陶磁または石くず等）に粘着剤Ｅ及びガラスフィラメントＦを加えて撹拌して成り、この環境保護材料Ｄを集水溝蓋Ｇ上に敷くことにより、地面上のごみや泥が排水孔から集水溝内に流入し、集水溝内の排水不良及び詰まりを起こすのを防ぐ。
【０００６】
この環境保護材料Ｄは填充時に顆粒が大きめの廃棄物Ｃを集水溝蓋Ｇの下方に設け、顆粒が小さめの廃棄物Ｃを上方に設け、粘着剤Ｅ及びガラスフィラメントＦを撹拌し、環境保護材料Ｄ上方の密度を環境保護材料Ｄ下方の密度より大きくし、形状・顆粒の大小が異なる廃棄物Ｃを異なる密度で排列することにより、雨水Ｈを隙間から集水溝内に詰まることなく流入させることができる。
【０００７】
また、集水溝蓋Ｇ上に設ける環境保護材料Ｄは、効果的に害虫Ｋが排水孔から這い出したり、集水溝内の異臭Ｉが外部に飛散するのを防ぐことができ、また、該不規則な形状・大きさの廃棄物Ｃ（スラグ、ガラス片、陶磁または石くず等）が粘着剤Ｅ及びガラスフィラメントＦの撹拌を経た後、集水溝蓋Ｇの滑り止め効果を効果的に向上し、通行人が排水孔に足を取られることなく通行することができ、通行人の歩行時の安全性を向上する。
【考案の効果】
【０００８】
本考案の進歩性と実用性をよりはっきりと示すため、以下、従来品と比較して分析する。
《従来品の欠点》
一、集水溝蓋に複数の貫通した排水孔があり、集水溝内が詰まりやすい。
二、集水溝内に発生した害虫が集水溝蓋の排水孔から這い出しやすい。
三、集水溝内に漂う異臭が通行人に不快感を与えやすい。
四、地面上のごみや泥が排水孔から集水溝内に流入しやすい。
【０００９】
《本考案の利点》
一、集水溝蓋に設けた環境保護材料により排水孔内から害虫が這い出すのを防ぐことができる。
二、廃棄物を異なる密度で排列し、ごみや泥が集水溝内に流入するのを防ぐことができる。
三、集水溝蓋の表面が平坦な平面となり、通行人が排水孔に足を取られ転ぶのを防ぐことができる。
四、環境保護材料は気密性と非水密特性を備え、雨水を集水溝内に流入させることができる。
五、不規則な形状の排列された環境保護材料が集水溝内の異臭の飛散を防ぐことができる。
六、粘着剤及びガラスフィラメントにより集水溝蓋全体の強度を増すことができる。
七、集水溝蓋内に光反射効果を有する化学材料を入れ、夜間走行の安全性を向上することができる。
八、進歩性と実用性を備えている。
九、産業的競争力が向上される。    
【考案を実施するための最良の形態】
【００１０】
本考案の実施方式は、図６及び図７に示すように、本考案の集水溝蓋Ｇは主に集水溝蓋Ｇ上に一層の環境保護材料Ｄを設け、且つ、この環境保護材料Ｄは不規則な形状の廃棄物Ｃに粘着剤Ｅ及びガラスフィラメントＦを加え撹拌して成り、また、この廃棄物Ｃはスラグ、ガラス片、陶磁または石くず等不規則な形状の材料とし、粘着剤Ｅにより廃棄物Ｃを撹拌した後、環境保護材料Ｄに気密性と非水密性を形成し、雨水Ｈを隙間から集水溝内に流入させることができる。
【００１１】
集水溝蓋Ｇに環境保護材料Ｄを設けるとき、顆粒が大きめの廃棄物Ｃを集水溝蓋Ｇの下方に設け、顆粒が小さめの廃棄物Ｃを上方に設け、粘着剤Ｅ及びガラスフィラメントＦの撹拌を経た後、環境保護材料Ｄ上方の密度は環境保護材料Ｄ下方の密度より大きくなり、形状・顆粒の大きさが異なる廃棄物Ｃを異なる密度により排列し、雨水Ｈを隙間から集水溝内に詰まることなく流入させることができる。
【００１２】
集水溝蓋Ｇ上に設けた環境保護材料Ｄは、雨の日の降雨時において、環境保護材料Ｄは廃棄物Ｃ間に密度の異なる排列の隙間を備えているため、降雨時にその異なる密度の排列による隙間を介して雨水Ｈを自然に廃棄物Ｃ間の隙間を通り集水溝内に流入させることができ、ごみや泥は集水溝蓋Ｇ上方に留まり、雨水Ｈと共に集水溝内に流入せず、集水溝内の排水不良及び詰まりの発生を防ぐことができる。
【００１３】
図７、図８、図９に示すように、集水溝蓋Ｇ上に設けた環境保護材料Ｄは、害虫が排水孔から這い出したり、集水溝内の異臭Ｉが飛散したりするのを防ぐこともでき、且つ、この不規則な形状・大きさの廃棄物Ｃ（スラグ、ガラス片、陶磁または石くず等）は、粘着剤Ｅ及びガラスフィラメントＦの撹拌を経た後、各種集水溝蓋Ｇの形体上に設置することができ、通行人または車両Jの歩行または走行時の安全性を向上することができる。
【００１４】
図９及び図１０に示すように、集水溝蓋Ｇの表面及び環境保護材料Ｄ内にさらに光反射性と感光性を備えた夜光剤（Ｌｕｍｉｎｏｕｓ  ｃｈｅｍｉｃａｌ）、紫外線（Ｕｌｔｒａｖｉｏｌｅｔ；ＵＶ）変色原料、光発色性原料（Ｐｈｏｔｏｃｈｒｏｍｉｃ  ｍａｔｅｒｉａｌ）、感温変色性を備えたマイクロカプセル液晶（Ｍｉｃｒｏｃａｐｓｕｌｅ  Ｌｉｑｕｉｄ  Ｃｒｙｓｔａｌ）及び関連の夜間警告性向上効果を備えた化学材料Ｋを塗布または撹拌し、道路車両Ｊの走行及び通行人の歩行時の安全性を向上することもできる。
【００１５】
上述の説明は、本考案最良の実施例に基づくものであり、本考案の特許範囲を制限するものではなく、本考案の明細書及び図面の内容を運用した同等効果を得る構造を直接または間接的にその他関連技術領域に運用したものはすべて本考案の要旨の範囲内に含まれるものとみなす。
【００１６】
上述のように、本考案は従来技術を打破する構造において、確実にその目的とする効果を得ることができ、且つ、当該技術を熟知した者でなくとも容易に理解することができ、さらに、本考案はその出願以前に公開されたことがなく、その進歩性、実用性は実用新案登録出願の要件を満たしているため、法に基づきここに実用新案登録を出願するものである。
【図面の簡単な説明】
【００１７】
【図１】従来品の立体斜視図である。
【図２】別の従来品の立体斜視図である。
【図３】従来品の使用時の状態を示す立体斜視図である。
【図４】本考案の立体斜視図である。
【図５】本考案の部分拡大断面図である。
【図６】本考案に雨水が流入する状態を示す断面図である。
【図７】本考案が異臭の飛散を防止する状態を示す断面図である。
【図８】本考案の使用時の状態を示す外観図である。
【図９】本考案の使用時の状態を示す別の外観図である。
【図１０】本考案に化学材料を加えた実施例を示す断面図である。
【符号の説明】
【００１８】
Ａ    集水溝蓋
Ａ１   排水孔
Ｂ    集水溝蓋
Ｂ１   排水孔
Ｃ    廃棄物
Ｄ    環境保護材料
Ｅ    粘着剤
Ｆ    ガラスフィラメント
Ｇ    集水溝蓋
Ｈ   
雨水
Ｉ   
異臭
Ｊ   
車両
Ｋ    化学材料
【図１】
0003119620.tif 000003
【図２】
0003119620.tif 000004
【図３】
0003119620.tif 000005
【図４】
0003119620.tif 000006
【図５】
0003119620.tif 000007
【図６】
0003119620.tif 000008
【図７】
0003119620.tif 000009
【図８】
0003119620.tif 000010
【図９】
0003119620.tif 000011
【図１０】
0003119620.tif 000012